【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
負荷回路の動作を制御する第一の制御部と、
前記第一の制御部及び前記負荷回路へのメイン電源からの電力の供給をオン、オフする第一のスイッチ部と、
前記メイン電源からの電力の供給をオン、オフする第二のスイッチ部と、
前記メイン電源から前記第一のスイッチ部を介さず、かつ前記第二のスイッチ部を介して電力を供給されて充電される充電型電源と、
前記充電型電源から電力の供給を受けて前記第一のスイッチ部及び前記第二のスイッチ部を制御する第二の制御部と、
前記充電型電源の出力電圧を検出して、検出結果を示す充電型電源電圧検出信号を前記第二の制御部に供給する充電型電源電圧検出回路と、
前記メイン電源に、前記第一のスイッチ部及び前記第二のスイッチ部のいずれをも介することなく接続され、前記メイン電源の出力電圧の立ち上がり時に前記第一のスイッチ部及び前記第二のスイッチ部を一定時間オン状態にするための固定時間信号を出力する固定回路と、
前記メイン電源の出力電圧を検出して、検出結果を示すメイン電源電圧検出信号を前記第二の制御部に供給するメイン電源電圧検出回路とを備え、
前記第一の制御部は前記負荷回路についてのオン／オフ情報を、前記第二の制御部に供給し、
前記第二の制御部は、前記メイン電源電圧検出信号、前記オン／オフ情報、前記充電型電源電圧検出信号に応じて、
前記第一のスイッチ部をオン状態にするための第一の制御信号、及び前記第二のスイッチ部をオン状態にするための第二の制御信号を出力するか否かの制御を行い、
前記第一の制御信号と前記第一のスイッチ部を一定時間オン状態にするための前記固定時間信号が前記第一のスイッチ部に入力され、前記第一の制御信号及び前記固定時間信号の少なくとも一方によりオン状態が指示されているときに、前記第一のスイッチ部がオン状態にされ、
前記第二の制御信号と前記第二のスイッチ部を一定時間オン状態にするための前記固定時間信号が前記第二のスイッチ部に入力され、前記第二の制御信号及び前記固定時間信号の少なくとも一方によりオン状態が指示されているときに、前記第二のスイッチ部がオン状態にされるよう構成されている
ことを特徴とする電源供給装置。
【請求項２】
前記第二の制御部には、手動による割り込み信号が入力されるように構成され、
前記第二の制御部は、前記メイン電源電圧検出信号、前記オン／オフ情報、及び前記充電型電源電圧検出信号のみならず、前記割り込み信号状態にも基づいて、
前記第一のスイッチ部をオン状態にするための前記第一の制御信号、及び前記第二のスイッチ部をオン状態にするための前記第二の制御信号を出力するか否かの制御を行う
ことを特徴とする請求項１に記載の電源供給装置。
【請求項３】
前記第二の制御部は、前記メイン電源電圧検出信号が、前記メイン電源の出力電圧が所定の閾値以上であることを示すものであるか否かの判定を他の処理に優先して行い、
前記メイン電源電圧検出信号が、前記メイン電源の出力電圧が前記所定の閾値未満であることを示すものである場合には、前記第一のスイッチ部及び前記第二のスイッチ部をオフ状態で固定し、前記第二の制御部における前記割り込み信号に応じた割り込み処理を禁止する
ことを特徴とする請求項２に記載の電源供給装置。
【請求項４】
負荷回路の動作を制御する第一の制御部と、
前記第一の制御部及び前記負荷回路へのメイン電源からの電力の供給をオン、オフする第一のスイッチ部と、
前記メイン電源からの電力の供給をオン、オフする第二のスイッチ部と、
前記メイン電源から前記第一のスイッチ部を介さず、かつ前記第二のスイッチ部を介して電力を供給されて充電される充電型電源と、
前記充電型電源から電力の供給を受けて前記第一のスイッチ部及び前記第二のスイッチ部を制御する第二の制御部と、
前記メイン電源に、前記第一のスイッチ部及び前記第二のスイッチ部のいずれをも介することなく接続され、前記メイン電源の出力電圧の立ち上がり時に前記第一のスイッチ部を一定時間オン状態にするための信号を出力する第一の固定回路と、
前記メイン電源に、前記第一のスイッチ部及び前記第二のスイッチ部のいずれをも介することなく接続され、前記メイン電源の出力電圧の立ち上がり時に前記第二のスイッチ部を一定時間オン状態にするための信号を出力する第二の固定回路と、
前記メイン電源に、前記第一のスイッチ部を介して接続され、前記第一のスイッチ部の出力電圧の立ち上がり時にリセットパルスを発生して前記第一の制御部に供給して、前記第一の制御部に初期化を行わせる第一のリセット回路と、
前記メイン電源に、前記第一のスイッチ部及び前記第二のスイッチ部のいずれをも介することなく接続され、前記メイン電源の出力電圧の立ち上がり時にリセットパルスを発生して前記第二の制御部に供給する第二のリセット回路とを備え、
前記第二の制御部は前記第二のリセット回路が出力する前記リセットパルスにより初期化されて動作を開始し、初期化の完了後、前記第一のスイッチ部をオン状態にするための第一の制御信号、及び前記第二のスイッチ部をオン状態にするための第二の制御信号を出力し、
前記第一の制御信号と、前記第一のスイッチ部を一定時間オン状態にするための前記第一の固定回路からの信号が前記第一のスイッチ部に入力され、少なくとも前記第一の制御信号か、前記第一の固定回路からの信号がオン状態を指示しているときに、前記第一のスイッチ部がオン状態にされ、
前記第二の制御信号と、前記第二のスイッチ部を一定時間オン状態にするための前記第二の固定回路からの信号が前記第二のスイッチ部に入力され、少なくとも前記第二の制御信号か、前記第二の固定回路からの信号がオン状態を指示しているときに、前記第二のスイッチ部がオン状態にされるよう構成されている
ことを特徴とする電源供給装置。
【請求項５】
前記第一の固定回路から出力される、前記第一のスイッチ部をオン状態にするための信号の持続時間、及び前記第二の固定回路から出力される、前記第二のスイッチ部をオン状態にするための信号の持続時間が、前記第二のリセット回路から出力される前記リセットパルスの持続時間よりも長いことを特徴とする請求項４に記載の電源供給装置。
【請求項６】
前記第二の制御部において、前記第二のリセット回路によるリセットパルスに応じて開始した初期化が完了するまで、前記第一の固定回路及び前記第二の固定回路からの、前記第一のスイッチ部及び前記第二のスイッチ部をオン状態にするための信号の出力が続けられ、
前記第一の制御部は、前記第一の制御部の初期化の完了後に、前記負荷回路についてのオン／オフ情報を前記第二の制御部に供給し、
前記第二の制御部は、前記第二の制御部の初期化の完了後に前記第一の制御部から前記オン／オフ情報が供給されるまで、前記第一のスイッチ部及び前記第二のスイッチ部をオン状態にするための前記第一及び第二の制御信号を出力し、
前記第二の制御部は、前記オン／オフ情報の供給を受けた時は、前記オン／オフ情報に基づいて前記第一のスイッチ部を制御し、
前記オン／オフ情報は、前記第一の制御部の前記初期化に先立って前記負荷回路への電力供給が停止したときに、前記負荷回路がパワーオン状態であったか否かを示す
ことを特徴とする請求項４又は５に記載の電源供給装置。
【請求項７】
前記第二の制御部は、前記オン／オフ情報に基づく前記第一のスイッチ部の制御に当たり、前記第一のスイッチ部を、前記オン／オフ情報で示される状態に対応した状態になるように制御を行う
ことを特徴とする請求項１又は６に記載の電源供給装置。
【請求項８】
前記第二の制御部は、前記第一の制御部から前記オン／オフ情報の供給を受けた後、操作入力に応じた前記第二の制御部への割り込み信号に基づいて、前記第一のスイッチ部に対する制御を行う
ことを特徴とする請求項１、６又は７に記載の電源供給装置。
【請求項９】
前記第二の制御部は、前記第一の制御部から前記オン／オフ情報の供給を受けた後、前記充電型電源の出力電圧に基づいて前記第二のスイッチ部を制御する
ことを特徴とする請求項１、６、７、又は８に記載の電源供給装置。
【請求項１０】
前記第二の制御部は、前記メイン電源の出力電圧を検出し、検出結果に応じて、前記第一のスイッチ部及び前記第二のスイッチ部に対する制御を行う
ことを特徴とする請求項９に記載の電源供給装置。
【請求項１１】
前記第二の制御部は、前記メイン電源の出力電圧が所定の閾値より低くなったときは、前記第一のスイッチ部及び前記第二のスイッチ部をオン状態にするための前記第一及び第二の制御信号の出力を停止する
ことを特徴とする請求項１０に記載の電源供給装置。
【請求項１２】
前記第二の制御部による制御のうち、
前記メイン電源の出力電圧に基づく前記第一のスイッチ部及び前記第二のスイッチ部に対する制御のための処理が、前記オン／オフ情報に基づく前記第一のスイッチ部に対する制御のための処理よりも優先して行われ、
前記オン／オフ情報に基づく前記第一のスイッチ部に対する制御のための処理が、前記充電型電源の出力電圧に基づく前記第二のスイッチ部に対する制御のための処理よりも優先して行われる
ことを特徴とする請求項１１に記載の電源供給装置。
【請求項１３】
前記第二の制御部は、前記メイン電源の出力電圧に基づく前記第一のスイッチ部及び第二のスイッチ部に対する制御のための処理、及び前記オン／オフ情報に基づく前記第一のスイッチ部に対する制御のための処理を実施しているときは、操作入力に応じた割り込み処理を行わない
ことを特徴とする請求項９から１２のいずれか１項に記載の電源供給装置。
【請求項１４】
前記第二の制御部は、前記メイン電源の出力電圧が所定の閾値より低くなったときは、操作入力に応じた割り込み処理を行わない
ことを特徴とする請求項１から１０のいずれか１項に記載の電源供給装置。
【請求項１５】
前記充電型電源の出力電圧で給電されるように接続されたインジケータ素子をさらに備え、
前記第二の制御部は、前記メイン電源の出力電圧が所定の閾値より低くなったときに、前記インジケータ素子を点灯又は点滅させるための制御を開始する
ことを特徴とする請求項１から１０のいずれか１項に記載の電源供給装置。
【請求項１６】
前記第二の制御部は、前記メイン電源の出力電圧が所定の閾値より低くなったときに、前記第二の制御部がスリープモードに移行する
ことを特徴とする請求項４から１０のいずれか１項に記載の電源供給装置。
【請求項１７】
前記第二の制御部の動作クロックが、前記第一の制御部の動作クロックよりも低周波数のものである
ことを特徴とする請求項１から１６のいずれか１項に記載の電源供給装置。
【請求項１８】
請求項１から１６のいずれか１項に記載の電源供給装置と、前記負荷回路とを備え、
前記負荷回路が映像を表示するための処理を行なうものである
ことを特徴とする映像表示装置。
【手続補正２】
【補正対象書類名】明細書
【補正対象項目名】０００９
【補正方法】変更
【補正の内容】
【０００９】
本発明の一つの態様の電源供給装置は、
負荷回路の動作を制御する第一の制御部と、
前記第一の制御部及び前記負荷回路へのメイン電源からの電力の供給をオン、オフする第一のスイッチ部と、
前記メイン電源からの電力の供給をオン、オフする第二のスイッチ部と、
前記メイン電源から前記第一のスイッチ部を介さず、かつ前記第二のスイッチ部を介して電力を供給されて充電される充電型電源と、
前記充電型電源から電力の供給を受けて前記第一のスイッチ部及び前記第二のスイッチ部を制御する第二の制御部と、
前記充電型電源の出力電圧を検出して、検出結果を示す充電型電源電圧検出信号を前記第二の制御部に供給する充電型電源電圧検出回路と、
前記メイン電源に、前記第一のスイッチ部及び前記第二のスイッチ部のいずれをも介することなく接続され、前記メイン電源の出力電圧の立ち上がり時に前記第一のスイッチ部及び前記第二のスイッチ部を一定時間オン状態にするための固定時間信号を出力する固定回路と、
前記メイン電源の出力電圧を検出して、検出結果を示すメイン電源電圧検出信号を前記第二の制御部に供給するメイン電源電圧検出回路とを備え、
前記第一の制御部は前記負荷回路についてのオン／オフ情報を、前記第二の制御部に供給し、
前記第二の制御部は、前記メイン電源電圧検出信号、前記オン／オフ情報、前記充電型電源電圧検出信号に応じて、
前記第一のスイッチ部をオン状態にするための第一の制御信号、及び前記第二のスイッチ部をオン状態にするための第二の制御信号を出力するか否かの制御を行い、
前記第一の制御信号と前記第一のスイッチ部を一定時間オン状態にするための前記固定時間信号が前記第一のスイッチ部に入力され、前記第一の制御信号及び前記固定時間信号の少なくとも一方によりオン状態が指示されているときに、前記第一のスイッチ部がオン状態にされ、
前記第二の制御信号と前記第二のスイッチ部を一定時間オン状態にするための前記固定時間信号が前記第二のスイッチ部に入力され、前記第二の制御信号及び前記固定時間信号の少なくとも一方によりオン状態が指示されているときに、前記第二のスイッチ部がオン状態にされるよう構成されている
ことを特徴とする。
【手続補正３】
【補正対象書類名】明細書
【補正対象項目名】００２２
【補正方法】変更
【補正の内容】
【００２２】
第二のスイッチ部８の制御信号入力端子８ｄ、８ｅには、それぞれ固定回路６の出力信号Ｄ６と、第二の制御部１４の第二の制御信号Ｄ１４ｂ（第二のスイッチ部８を制御するための信号）が接続される。
【手続補正４】
【補正対象書類名】明細書
【補正対象項目名】００３８
【補正方法】変更
【補正の内容】
【００３８】
固定回路６は、メイン電源２の出力電圧Ｖ０が入力されると、一定時間出力信号Ｄ６を出力する（図２（ｂ））。
固定回路６の出力信号Ｄ６は第一のスイッチ部５の制御信号入力端子５ｄと、第二のスイッチ部８の制御信号入力端子８ｄに入力される。
【手続補正５】
【補正対象書類名】明細書
【補正対象項目名】００９０
【補正方法】変更
【補正の内容】
【００９０】
第二のスイッチ部８の制御信号入力端子８ｄ、８ｅには、それぞれ第二の固定回路４の出力信号（固定時間信号）Ｄ４と、第二の制御部１４の第二の制御信号Ｄ１４ｂ（第二のスイッチ部８を制御するための信号）が接続される。
【手続補正６】
【補正対象書類名】明細書
【補正対象項目名】０１１１
【補正方法】変更
【補正の内容】
【０１１１】
図９（ａ）〜（ｇ）は、図６のメイン電源２からの電力供給が開始されたときの、固定回路３、４の出力、及びスイッチ部５、８の動作を示す。
交流電圧入力１が接続されてメイン電源２の出力Ｖ０がＬ状態からＨ状態に立ち上がると（図９（ａ）の時刻ｔａ）、第一及び第二の固定回路３、４の出力信号Ｄ３、Ｄ４は所定の持続時間Ｈ状態を持続する（図９（ｂ）、（ｃ）のＴｃ３、Ｔｃ４）。第一及び第二の固定回路３、４の出力Ｄ３、Ｄ４がＨ状態になることによって、若干の遅延を伴って第一及び第二のスイッチ部５、８がオン状態に変化する（図９（ｄ）、（ｅ）の時刻ｔｂ）。
その結果さらに若干の遅延を伴って第一のスイッチ部５の出力電圧Ｖ１及び充電型電源１０の出力電圧Ｖ２が立ち上がり（図９（ｆ）、（ｇ）の時刻ｔｃ）、第一及び第二の制御部１３、１４による制御を開始することが可能となる。